(57)【要約】【課題】  安価に製造することができ、包装形態自体が携帯に適した小サイズであっても、揮散しやすい低分子の薬剤成分を含んだ貼付剤の製品開封後の保存性がチャック付きの包装袋よりも向上される貼付剤用包装袋を得る。【解決手段】 内部に封止した貼付剤からの揮散ガスを透過させない素材からなる貼付剤用包装袋において、包装袋が開封口を形成する一端部に直交する長手両側辺にシール部が形成されない背貼りの封筒型袋、中央合掌シール袋、ピロータイプ袋、ガゼット袋の何れかから選ばれ、切り取られて開封口を形成する包装袋の一端部近傍に開封口を少なくとも３重に折込む指針となる少なくとも２つの折込案内線が印刷されているもの。【選択図】   図１
0003132567.tif 000002
【実用新案登録請求の範囲】
【請求項１】
内部に封止した貼付剤からの揮散ガスを透過させない素材からなる貼付剤用包装袋において、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されていることを特徴とする貼付剤用包装袋。
【請求項２】
内部に封止した貼付剤からの揮散ガスを透過させない素材からなる貼付剤用包装袋において、
前記包装袋を構成するフィルムの厚さが、０．０２ｍｍ〜０．１５ｍｍであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されていることを特徴とする貼付剤用包装袋。
【請求項３】
内部に封止した貼付剤からの揮散ガスを透過させない素材からなる貼付剤用包装袋において、
前記包装袋を構成するフィルムが、ポリエチレンテレフタレート層と、ポリエチレン層と、アルミニウム箔層と、エチレンメタクリル酸共重合樹脂層とのラミネート加工された厚さ０．０２ｍｍ〜０．１５ｍｍのフィルムであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されていることを特徴とする貼付剤用包装袋。
【請求項４】
内部に封止した貼付剤からの揮散ガスを透過させない素材からなる貼付剤用包装袋において、
前記包装袋を構成するフィルムが、ポリエチレンテレフタレート層と、ポリエチレン層と、アルミニウム箔層と、エチレンメタクリル酸共重合樹脂層とのラミネート加工された厚さ０．０２ｍｍ〜０．１５ｍｍのフィルムであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されており、
前記形成された開封口を少なくとも３重に折込んだ折り曲げ縁を係止する係止手段を更に備えたことを特徴とする貼付剤用包装袋。
【請求項５】
内部に封止した貼付剤からの揮散ガスを透過させない素材からなる貼付剤用包装袋において、
前記包装袋を構成するフィルムが、ポリエチレンテレフタレート層と、ポリエチレン層と、アルミニウム箔層と、エチレンメタクリル酸共重合樹脂層とのラミネート加工された厚さ０．０２ｍｍ〜０．１５ｍｍのフィルムであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されており、
前記形成された開封口を少なくとも３重に折込んだ折り曲げ縁と包装袋本体とを外方から押さえて一体保持する感圧接着型ラベルを、予め包装袋の外表面に貼付してなり、
前記感圧接着剤ラベルが、前記開封口側の一端部につまみとなる接着剤層が形成されていない非接着部と、非接着部に対向する他端部に強い接着力で前記包装袋本体と接着されている強接着部と、非接着部と強粘着部との間に配された繰り返し貼着可能な弱粘着部とを備えたことを特徴とする貼付剤用包装袋。
【考案の詳細な説明】
【技術分野】
【０００１】
本考案は、例えば、冷感湿布、温感湿布、プラスター剤等の貼付剤を封止し、開封後には貼付剤の揮散成分の漏出を防止して保存する貼付剤用包装袋に関するものである。
【背景技術】
【０００２】
貼付剤の有効成分には揮発成分が多く含まれる。現在、市場で販売されている貼付剤は揮発成分を遮断する包装袋に封止された製品が市販され、製品を開封した後は製品自体の包装袋に封止チャックが備わっているものでは、そのままの保存である程度の期間は有効成分の低下を防止することが出来る。
【０００３】
しかしながら、チャック付きの包装袋は高価であり、袋自体もサイズが大きくなり、携帯などのニーズに対応が出来ない。このため、別にサイズの小さいチャック袋を添付し、開封後はそれに入れ替えて携帯などの保管をするものもある。
【０００４】
揮発成分など劣化のある貼付剤は近年、殆どアルミの層を有するフィルム製の袋が使用されている。この場合、チャック付きの包装袋を利用する場合は、袋本体の周囲の４方全てを熱シールとする、所謂「４方シール」となる。４方シールの包装袋は封止される中身に対してある程度のクリアランス（間隙）が必要であり、結果として中身よりも大判なものにせざるを得なく、携帯に不便である。また、チャック付きの包装袋自体、高価である。
【０００５】
これに対し、背貼りの封筒型の袋は、背と上下端との３箇所をシールしており、４方シールに比べてコンパクトになるが、この背貼りの封筒型の袋にチャックを付け、包装する技術は現在開発されていない。尚、前述の携帯用に別の小さいサイズのチャック袋を添付したものの添付袋は、アルミ層のないフィルムである。
【０００６】
一方、貼付剤の開示はないが、食品類或いは各種部品類などに使用される包装用袋において、開封後の開封箇所を２回以上適当回数折り曲げて、袋の中央部付近に設けた粘着部に貼り付ける包装用袋が提案されている（特許文献１参照）。
【特許文献１】実開平６−６５２４１号公報
【考案の開示】
【考案が解決しようとする課題】
【０００７】
しかしながら、特許文献１の包装袋は、用いた袋の材質については何の記載もなく、また、袋の中央部付近に設けた粘着部に折り曲げた部分を内側から貼着するものであり、折り曲げ箇所が膨らんでしまい、薬剤等の揮散しやすい低分子のガスの密閉性に問題があった。
【０００８】
本考案は、安価に製造することができ、包装形態自体が携帯に適した小サイズであっても、揮散しやすい低分子の薬剤成分を含んだ貼付剤の製品開封後の保存性がチャック付きの包装袋よりも向上される貼付剤用包装袋を得ることを目的とする。また、開封及び再封の繰り返しが可能な貼付剤用包装袋を得ることを目的とする。
【課題を解決するための手段】
【０００９】
請求項１に記載された考案に係る貼付剤用包装袋は、内部に封止した貼付剤からの揮散ガスを透過させない素材からなる貼付剤用包装袋において、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されていることを特徴とするものである。
【００１０】
請求項２に記載された考案に係る貼付剤用包装袋は、内部に封止した貼付剤からの揮散ガスを透過させない素材からなる貼付剤用包装袋において、
前記包装袋を構成するフィルムの厚さが、０．０２ｍｍ〜０．１５ｍｍであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されていることを特徴とするものである。
【００１１】
請求項３に記載された考案に係る貼付剤用包装袋は、内部に封止した貼付剤からの揮散ガスを透過させない素材からなる貼付剤用包装袋において、
前記包装袋を構成するフィルムが、ポリエチレンテレフタレート層と、ポリエチレン層と、アルミニウム箔層と、エチレンメタクリル酸共重合樹脂層とのラミネート加工された厚さ０．０２ｍｍ〜０．１５ｍｍのフィルムであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されていることを特徴とするものである。
【００１２】
請求項４に記載された考案に係る貼付剤用包装袋は、内部に封止した貼付剤からの揮散ガスを透過させない素材からなる貼付剤用包装袋において、
前記包装袋を構成するフィルムが、ポリエチレンテレフタレート層と、ポリエチレン層と、アルミニウム箔層と、エチレンメタクリル酸共重合樹脂層とのラミネート加工された厚さ０．０２ｍｍ〜０．１５ｍｍのフィルムであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されており、
前記形成された開封口を少なくとも３重に折込んだ折り曲げ縁を係止する係止手段を更に備えたことを特徴とするものである。
【００１３】
請求項５に記載された考案に係る貼付剤用包装袋は、内部に封止した貼付剤からの揮散ガスを透過させない素材からなる貼付剤用包装袋において、
前記包装袋を構成するフィルムが、ポリエチレンテレフタレート層と、ポリエチレン層と、アルミニウム箔層と、エチレンメタクリル酸共重合樹脂層とのラミネート加工された厚さ０．０２ｍｍ〜０．１５ｍｍのフィルムであり、
前記包装袋が、前記開封口を形成する一端部に直交する長手両側辺にシール部が形成されない背貼りの封筒型袋、中央合掌シール袋、ピロータイプ袋、ガゼット袋の何れかから選ばれ、
切り取られて開封口を形成する包装袋の一端部近傍に、前記開封口を少なくとも３重に折込む指針となる少なくとも２つの折込案内線が印刷されており、
前記形成された開封口を少なくとも３重に折込んだ折り曲げ縁と包装袋本体とを外方から押さえて一体保持する感圧接着型ラベルを、予め包装袋の外表面に貼付してなり、
前記感圧接着剤ラベルが、前記開封口側の一端部につまみとなる接着剤層が形成されていない非接着部と、非接着部に対向する他端部に強い接着力で前記包装袋本体と接着されている強接着部と、非接着部と強粘着部との間に配された繰り返し貼着可能な弱粘着部とを備えたことを特徴とするものである。
【考案の効果】
【００１４】
本考案は、安価に製造することができ、包装形態自体が携帯に適した小サイズであっても、揮散しやすい低分子の薬剤成分を含んだ貼付剤の製品開封後の保存性がチャック付きの包装袋よりも向上される貼付剤用包装袋を得ることができる。また、開封及び再封の繰り返しが可能な貼付剤用包装袋を得ることができるという効果がある。
【考案を実施するための最良の形態】
【００１５】
本考案においては、内部に封止した貼付剤からの揮散ガスを透過させない素材からなる貼付剤用包装袋である。包装袋の形態としては、携帯性を向上させるためにこの包装袋が、開封口を形成する一端部に直交する長手両側辺にシール部が形成されないものである。例えば、背貼りの封筒型袋、中央合掌シール袋、ピロータイプ袋、ガゼット袋の何れかから選ばれる。
【００１６】
本考案では、切り取られて開封口を形成する包装袋の一端部近傍に、前記開封口を少なくとも３重に折込む指針となる少なくとも２つの折込案内線が印刷されているため、開封後に使用者が開封口を折込む際に折込案内線に沿って折込むことにより、確実に開封口からの薬剤成分の揮散を防止できる。折込案内線としては、開封口の大きさや開封口及び互いの折込案内線間の距離を大きく取るほど開封口からの薬剤成分の揮散の防止効果は高まるが、包装袋を大きく取らねばならなくなる。従って、開封口からの薬剤成分の揮散の防止効果を維持しつつ、包装袋を小さくする。好ましい開封口及び互いの折込案内線間の距離は７ｍｍ以上、１０ｍｍ以下とする。
【００１７】
包装袋の素材としては、貼付剤から揮散するガスを透過させない素材であれば良く、例えばポリエチレン、ポリプロピレン、ポリブチレンなどのオレフィン系樹脂、エチレン−酢酸ビニル共重合体、エチレン−ビニルアルコール共重合体等の合成樹脂製フィルム単独、又は、封止される貼付剤には揮発しやすい低分子化合物を含むため、より高いガスバリア性を得るために、金属箔などを積層したり、ポリアクリロニトリル、ポリエステル、環状ポリオレフィン、ポリビニルアルコール、エチレン−ビニルアルコール共重合体などの他の合成樹脂シートからなる薬物非吸着性層を積層したものが用いられる。
【００１８】
特に、包装袋を構成するフィルムの厚さが、０．０２ｍｍ〜０．１５ｍｍであるものは、３重に折込みが容易であり、開封口を少なくとも３重に折込んだ際に、折り跡が容易に形成されて折込状態を維持しやすく、揮散しやすい低分子の薬剤成分を含んだ貼付剤の製品開封後の保存性が向上され、後述するように、従来のチャック付きの携帯用袋よりも高い保存性が確認された。
【００１９】
具体的には、０．０２ｍｍよりも薄いと貼付剤に含まれる揮散成分を充分に保存することが難しいためであり、０．１５ｍｍより厚いと３重に折込まれた折込み部の厚さが１ｍｍを越えることが多くなり、折込み部の折込が解けやすく、機密性に問題が生じるためである。即ち、例えば０．０６ｍｍの厚さのフィルムで袋を形成し、この開口部を３重に折込んだ状態の３重の折込み部の理論的な厚さは０．０６×２×３＝０．３ｍｍとなるが、実測すると５００〜６００μｍとなった。そのため、０．１５ｍｍを越えると３重に折込まれた折込み部の厚さが１ｍｍを越えることが多くなるため、機密性に問題が生じる。
【００２０】
好ましい包装袋を構成するフィルムとしては、ポリエチレンテレフタレート（ＰＥＴ）層と、ポリエチレン（ＰＥ）層と、アルミニウム箔（ＡＬ）層と、エチレンメタクリル酸共重合樹脂（ＥＭＡＡ）層とをラミネート加工されたものが、フィルムの厚さを数十μｍに薄くしても、内部に封止した貼付剤からの揮散ガスを透過させず、しかも、開封口を少なくとも３重に折込んだ際に、折り跡がしっかりと形成され、この折込状態を良好に保持することができる。
【００２１】
本考案の包装袋において、切り取られて開封された開封口を少なくとも３重に折込み、折込まれた折り曲げ縁を係止する係止手段を更に備えることも可能である。これにより、折り曲げ箇所が膨らむおそれがなく、また、バック等の中に携帯した場合にも、開封口の折込が不用意に解けず、揮散しやすい低分子の薬物成分を含んだ貼付剤であっても、良好な密閉性を有する。
【００２２】
係止手段としては、クリップ状の部材で折り曲げ縁を上下から挟み込んで係止するものや、バンド状のもので折り曲げ縁を包装袋本体と一緒に緊締するもの等が挙げられるが、包装袋本体と別体の部材であるため、バック等の中に携帯した場合に逸出するおそれがある。そのため、係止手段としては、包装袋本体に付属して設けられるものが好ましい。好ましい係止手段としては、折り曲げ縁と包装袋本体とを外方から押さえて一体保持する感圧接着型ラベルが挙げられる。これにより、折り曲げ箇所が膨らむおそれがなく、また、バック等の中に携帯した場合にも、開封口の折込が解けず、揮散しやすい低分子の薬物成分を含んだ貼付剤であっても、良好な密閉性を有する。
【００２３】
本考案の好ましい係止手段としての感圧接着型ラベルは、開封口が形成された後に、１枚以上の感圧接着型ラベルで一体保持させてもよいが、個別にラベルを剥離・貼付しなければならなく操作性が悪いため、好ましくは１枚の感圧接着型ラベルを予め包装袋の外表面に貼付して用いる。また、より好ましくは前記ラベルの幅は、開封口の幅の１／３以上とすることにより、バック等の中に携帯した場合にも、開封口の折込が解けず、揮散しやすい低分子の薬物成分を含んだ貼付剤であっても、良好な密閉性を有する。
【００２４】
本考案の感圧接着型ラベルは、切り取られて開封口を形成した後の再封止と開封とが容易に行えるように、好ましくは、開封口側の一端部につまみとなる接着剤層が形成されていない非接着部を備える。更に好ましくは、非接着部と、非接着部に対向する他端部に強い接着力で前記包装袋本体と接着されている強接着部と、非接着部と強粘着部との間に配された繰り返し貼着可能な弱粘着部とを備えることにより、再封止と開封との繰り返しが容易に行える。
【００２５】
本考案の貼付剤用包装袋は、切り取られて開封口を形成した後に、その開封口を感圧接着型ラベルで少なくとも３重に折込んだ折り曲げ縁と包装袋本体とを外方から押さえて一体保持するものであるため、開封口を形成する一端部を折込んでいない状態を製品としても、切り取られて開封口を形成する一端部は予め少なくとも３重に折込んで感圧接着ラベルで貼付した状態を製品としてもよい。
【００２６】
予め一端部を折込んだ状態の製品では既に折り込みが形成されているため、切り取られて開封口を形成した後に、容易に折り込みを形成しやすく、ラベルによる再封が容易となる利点がある。
【００２７】
本考案の貼付剤用包装袋には、好ましくは、包装袋の開封口を形成する一端部近傍に、一端部を切り取る際の目印となる案内線又は一端部を切り裂いた際に他所よりも脆弱な案内溝が形成される。これにより、手指で一端部を切り裂いて開封口を形成する場合でも、不用意に開封口が広がることがない。
【実施例】
【００２８】
１．本考案の構成
図１は本考案の一実施例の貼付剤用包装袋を含む貼付剤製品の構成を示す説明図であり、ａ図は平面図、ｂ図は側方断面図、ｃ図は底面図である。図２は図１に示した貼付剤用包装袋の再封の動作を示す説明図である。
【００２９】
図１及び図２に示す通り、貼付剤用包装袋１０は、内部に封止した５枚の貼付剤１１からの揮散ガスを透過させない素材として、ポリエチレンテレフタレート（ＰＥＴ）層１２μｍと、ポリエチレン（ＰＥ）層１５μｍと、アルミニウム箔（ＡＬ）層７μｍと、エチレンメタクリル酸共重合樹脂（ＥＭＡＡ）層２０μｍとを順にラミネート加工したフィルムである。この包装袋１０はｃ図に示す背面の略中央と上下端との３方をヒートシールして封止されている背貼りの封筒型袋である。
【００３０】
一端部のヒートシール部１２の内側には切り取って開封口を形成しやすいように、切り取り案内溝１３が形成され、更にその内側には形成された開封口１３ａを折込む際に指針となる２つの折込案内線１４が印刷されている。
【００３１】
図２のａ図に示す通り、貼付材用包装袋１０の案内溝１３に沿って一端部を切り離して開封口１３ａを形成する。ｂ図に示す通り、開封口１３ａから内部の貼付剤１１を一枚抜き取った後、ｃ図に示す通り、包装袋１０の面に開封口１３ａを形成した端部を案内線１４の箇所で折り曲げ、ｄ図及びｅ図に示す通り、２本の折込案内線１４で折り跡がつくように３重に折込んで再封する。
【００３２】
図３は本考案の別の実施例の貼付剤用包装袋の構成を示す説明図であり、ａ図は平面図、ｂ図は側方断面図、ｃ図は展開平面図、ｄ図は展開底面図である。図４は貼付剤用包装袋に貼付する感圧接着型ラベルの構成を示す説明図である。図３の貼付剤用包装袋３０は、図１に示した貼付剤用包装袋１０の開封口１３Ａ側の端部を予め３重に折込んで感圧接着ラベルで貼付した状態を製品としたものであり、他の構成は図３のｃ図及びｄ図に示す通り、図１のものと同様の構成となっている。
【００３３】
即ち、貼付剤用包装袋３０は、内部に封止した５枚の貼付剤３１からの揮散ガスを透過させない素材として、ポリエチレンテレフタレート（ＰＥＴ）層１２μｍと、ポリエチレン（ＰＥ）層１５μｍと、アルミニウム箔（ＡＬ）層７μｍと、エチレンメタクリル酸共重合樹脂（ＥＭＡＡ）層２０μｍとを順にラミネート加工したフィルムである。この包装袋３０はｃ図及びｄ図に示す通り、背面の略中央と上下端との３方をヒートシールして封止されている背貼りの封筒型袋である。
【００３４】
一端部のヒートシール部３２の内側には切り取って開封口を形成しやすいように、切り取り案内溝３３が形成され、更にその内側には開封口３３ａを折込み易いように目印となる２本の案内線３４が印刷されている。ａ図及びｂ図に示す通り、包装袋３０の面に案内溝３３が形成された一端部を案内線３４の箇所で３重に折込んで感圧接着型ラベル４０の弱貼着部４０ｂ位置で３重に折込んだ折り曲げ縁と包装袋３０本体とを外方から押さえて一体保持されている。
【００３５】
本実施例の貼付剤用包装袋３０の再封は、図２と同様に、２本の折込案内線３４で折り跡がつくように３重に折込んだ上で、開封口３３ａを形成した端部を案内線３４の箇所で３重に折込んだ際に貼着される位置に貼着された感圧接着型ラベル４０で外方から押さえて一体保持することにより、再封する。
【００３６】
図４のａ図に示す感圧接着型ラベル４０は図３に貼着したラベルであり、開封口側の一端部につまみとなる接着剤層が形成されていない非接着部４０ａと、非接着部４０ａに対向する他端部に強い接着力で包装袋３０本体と接着される強接着部４０ｃと、非接着部４０ａと強粘着部４０ｃとの間に配された繰り返し貼着可能な弱粘着部４０ｂとを備える。
【００３７】
包装袋３０本体に貼着されるラベルは、図３に示すような楕円の外観を有しなくてもよい。例えば矩形状、角をまくる面取りした矩形状であってもよい。また、開封口３３ａの一部を覆うような幅であれば、開封口の折込は解け難いが、開封口３３ａの幅の１／３以上を覆うような幅を有することにより、バック等の中に携帯した場合にも、開封口の折込が解けず、揮散しやすい低分子の薬物成分を含んだ貼付剤であっても、良好な密閉性を有する。
【００３８】
また、非接着部４０ａのつまみについても、ラベルに突設させなくてもよい。例えば、図４のｂ図の感圧接着型ラベル４１に示すように、楕円状の外形の一部を非接着部４１ａとし、それに隣接して弱粘着部４１ｂと、強粘着部４１ｃとを形成してもよい。更に、図４のｃ図の感圧接着型ラベル４２に示すように、非接着部４２ａと弱粘着部４２ｂと強粘着部４２ｃとを楕円の外観に対して斜めに形成させてもよい。
【００３９】
２．製品開封後の保存性の検証１
市販の貼付剤Ａを開封して製品を一度取り出した後、ピロー包装袋（ＰＥＴ＃１２／ＰＥ１５／Ａｌ９／ＥＭＡＡ２０）に入れ直し、開封口を２回折り曲げて３重に折込み、ラベルで押さえて再封した。これらを２５℃及び４０℃の一定温度にて保管し、一週間毎に、色（官能及び色差計による測定）、におい（官能）、膏体幅、粘着力（官能及びレオメータによる測定）、水分量（重量減少量測定）、有効成分の定量（全成分）の６つの評価項目について測定した。結果を次の表１及び表２に示す。尚、表中、評価基準を満たす場合は○、満たさない場合は×で示した(△は評価項目不足)。
【００４０】
尚、評価項目の各々は、以下のように検証した。
(1) 色［検体数：官能、色差計共にｎ＝４］
官能  ：開封直後の淡青色であること。
色差計：開封直後との差がみられるか否かを確認した。
開封時に色差計で色差を測定し、一定期間保存後に再度測定して差を求めた。
【００４１】
(2) におい［ｎ＝４］
特異なにおいがあるか否かを確認した。
同一条件で保存した未開封のものと比較して違いがあるか否かを確認した。
【００４２】
(3) 膏体幅［ｎ＝４］
ノギスにより測定した。
開封時にライナーに印刷されているはがしくちの線の部分の膏体幅を測定し、一定期間保存後に再度測定して差を求めた。
開封直後と差がみられるか否かを確認した。
【００４３】
(4) 粘着力［官能ｎ＝１、レオメータｎ＝３］
官能：左右の腕のほぼ同位置に、同一条件で保存した未開封のものと比較できるように２時間程度貼付し、剥離したときに差があるか否かを確認した。
レオメータ：長辺に沿って２０ｍｍ幅に裁断し、ベークライト板に貼付後、１８０度剥離にて剥離力を測定した。
未開封のものと比較して差があるか否かを確認した。
【００４４】
(5) 水分量［ｎ＝４０］
開封時に１枚ずつ重量を測定し、一定期間保存後再度重量を測定した。
開封直後から重量減少がみられるか否かを確認した。
【００４５】
(6) 有効成分の定量［各成分ｎ＝３］
各成分規格範囲内であるか否かを確認した。
【００４６】
【表１】
0003132567.tif 000003
【００４７】
【表２】
0003132567.tif 000004
【００４８】
《検証結果》
表１及び表２に示す通り、色、におい、粘着力（貼付テスト）に関して、官能試験では２５℃で８週間目まで、４０℃で４週間目まで検証を行った結果、差はみられなかった。機器による測定においても２５℃で４週間目まで、４０℃で３週間目まで検証を行ったが、開封直後もしくは未開封のものと比較しほぼ差はみられなかった。膏体幅は測定時にノギスを当てた際に、膏体が押さえられて広がってしまうために正確に測定ができなかったが、ほぼ開封直後と差がないものと思われた。
【００４９】
重量測定に関して、２５℃で８週間目まで、４０℃で３週間目まで測定を行った結果、経時的に減少量は大きくなっていた。個々でピロー包装袋の閉まり具合に差があり減少量に若干バラツキもあるが、最も減少した２５℃８週間目においても１％未満であり問題ないと思われた。
【００５０】
定量に関して、２５℃で８週間目まで、４０℃で３週間目まで測定を行った結果、Ｌ−メントールは開封後１週間目に低下がみられたが、その後はほぼ一定となり２５℃、４０℃とも規格範囲内であった。サリチル酸グリコールはほとんど低下もみられなく２５℃、４０℃とも良好な結果であった。酢酸トコフェロールも規格範囲内であった。
【００５１】
以上のように、２５℃条件下で４週間目まで全項目問題のない範囲であり、また６週間目及び８週間目においても検体数の関係から全項目の評価ではないが問題のない範囲であった。また、４０℃の条件下においても３週間目まで全項目問題のない範囲であり、また４週間目においても定量は行っていないが問題のない範囲であると予測された。これらのことから、２５℃においては４〜８週間、４０℃では３〜４週間品質保持可能であると考えられた。
【００５２】
３．製品開封後の保存性の検証２
市販の２種類の貼付剤Ｂ及び貼付剤Ｃを本考案の包装袋（材質：ＰＥＴ＃１２／ＰＥ１５／Ａｌ７／ＥＭＡＡ２０）で開封口を３重に折込んだものと、チャック付きの携帯用保存袋（ＰＰ／ＥＶＡ／ＰＰ、厚さ６０μｍ）とに保存した際の比較試験を開封後８週目まで実施した。
【００５３】
具体的な比較試験としては、保存温度２５℃で、各貼付剤を本考案の包装袋で作製したものを開封した後、一度取り出して再び本考案の包装袋に入れ直し、開封囗を２回折り曲げて３重に折込んで所定期間保存した貼付剤（実施例）と、各貼付剤を本考案の包装袋で作製したものを開封した後、チャック付き包装材に入れ直し、チャックを閉じて所定期間保存した貼付剤（比較例）とに含まれる揮発３成分（ｄｌ−カンフル、ｌ−メントール、サリチル酸メチル）の含量を測定し、その際の貼付剤の粘着力を測定した。揮発３成分の試験結果を次の表３〜８表及び図５〜図６に示す。尚、表中の数値は配合量に対する含有率である。尚、粘着力の測定はスチールボール法を用いた。
【００５４】
【表３】
0003132567.tif 000005
【００５５】
【表４】
0003132567.tif 000006
【００５６】
【表５】
0003132567.tif 000007
【００５７】
【表６】
0003132567.tif 000008
【００５８】
【表７】
0003132567.tif 000009
【００５９】
【表８】
0003132567.tif 000010
【００６０】
表３〜８に示す通り、揮発成分については、試験８週目まで実施したところ、実施例では、揮発３成分の含量低下は認められず規格内であり、良好な結果だった。比較例では、サリチル酸メチルの含量の低下がみられ、貼付剤Ｂは２週目で１０％低下し、３週目で規格外となった。また、貼付剤Ｃは５週目で１０％低下したと考えられ、６週目で規格外となった。また、粘着力については、データは割愛するが、試験８週目まで実施例及び比較例において、全て規格内であり、また大きな変化は認められず良好な結果だった。その他、膏体の物性や性状についても問題なかった。
【図面の簡単な説明】
【００６１】
【図１】本考案の一実施例の貼付剤用包装袋の構成を示す説明図であり、ａ図は平面図、ｂ図は側方断面図、ｃ図は底面図である。
【図２】図１に示す貼付材用包装袋の再封の動作を示す説明図である。
【図３】本考案の別の実施例の貼付剤用包装袋の構成を示す説明図であり、ａ図は平面図、ｂ図は側方断面図、ｃ図は展開平面図、ｄ図は展開底面図である。
【図４】貼付剤用包装袋に貼付する感圧接着型ラベルの構成を示す説明図である。
【図５】表３〜表５の結果の線図である。
【図６】表６〜表８の結果の線図である。
【符号の説明】
【００６２】
１０，３０…貼付剤用包装袋、
１１，３１…貼付剤、
１２，３２…ヒートシール部、
１３，３３…案内溝、
１３ａ，３３ａ…開封口、
１４，３４…案内線、
４０，４１，４２…感圧接着型ラベル、
４０ａ，４１ａ，４２ａ…非接着部、
４０ｂ，４１ｂ，４２ｂ…弱接着部、
４０ｃ，４１ｃ，４２ｃ…強接着部、
【図１】
0003132567.tif 000011
【図２】
0003132567.tif 000012
【図３】
0003132567.tif 000013
【図４】
0003132567.tif 000014
【図５】
0003132567.tif 000015
【図６】
0003132567.tif 000016